(57)【要約】【課題】  本発明が解決しようとする課題は、対になる対象物を容易に特定し、誤った対象物を対にするという誤作業を減らすことにある。【解決手段】  対象物（例．ケーブル）に取り付けられたメモリに記憶された第一の識別子（ＩＤ１）を受信する（送）受信回路と、第二の識別子（ＩＤ２）を記憶するメモリと、第一の識別子と第二の識別子とを照合し結果を出力する照合回路、照合回路からの出力に対応した入切スイッチと、スイッチの入切に対応して出力する出力手段（例．ＬＥＤ，ブザー）とを備えたＲＦＩＤである。【選択図】図１
2008102727.tif 000002
【特許請求の範囲】
【請求項１】
第一の識別子を受信する受信回路と、
第二の識別子を記憶する書き換え不能なメモリと、
第一の識別子と第二の識別子とを照合し結果を出力する照合回路と、
照合回路からの出力に対応した入切スイッチと
を備えたＲＦＩＤ。
【請求項２】
第一の識別子（ＩＤ１）を受信する受信回路と、
第二の識別子を記憶する書き換え不能なメモリと、
第一の識別子と第二の識別子とを照合し結果を出力する照合回路と、
照合回路からの出力に対応した入切スイッチと、
スイッチの入切に対応して出力する出力手段と、
前記出力手段のためのバッテリーと
を備えたＲＦＩＤ。
【請求項３】
第一の識別子を受信する受信回路と、
第二の識別子（ＩＤ２）を記憶する書き換え不能なメモリと、
第一の識別子と第二の識別子とを照合し結果を出力する照合回路と、
照合回路からの出力に対応した入切スイッチと、
スイッチの入切に対応して出力する出力手段と、
前記出力手段のためのバッテリーの取付口と
を備えたＲＦＩＤ。
【請求項４】
対象物に割り当てられた複数の出力手段と、
前記出力手段のＩＤを指定されると該当出力手段により出力する制御部と、
前記出力手段のためのバッテリーと
を備えたシステム。
【請求項５】
第一の対象物に割り当てられた複数の出力手段と、
第二の対象物に取り付けられたＲＦＩＤをリードするリード手段と、
前記ＲＦＩＤと前記第二の対象物の対を記憶するメモリ１と、
リードした前記ＲＦＩＤと対になる前記第二の対象物を前記メモリ１から検索する検索手段１と、
前記第一の対象物と前記第二の対象物の対を記憶するメモリ２と、
前記メモリ２から前記第二の対象物と対になる前記第一の対象物を検索する検索手段２と、
前記出力手段と前記第一の対象物の対を記憶するメモリ３と、
前記メモリ３から対象物と対になる出力手段を検索する検索手段３と、
前記検索手段３により検索された出力手段に出力する制御部と
を備えたシステム。
【請求項６】
前記出力手段に電力を供給するバッテリーを備える請求項５記載のシステム。
【請求項７】
前記第一の対象物及び／又は第二の対象物がケーブルである請求項５記載のシステム。
【請求項８】
前記第一の対象物が端子台である請求項５記載のシステム。
【請求項９】
前記出力手段がＬＥＤである請求項５記載のシステム。
【発明の詳細な説明】
【技術分野】
【０００１】
本発明は、ＲＦＩＤシステムに関するものである。
【背景技術】
【０００２】
プラント，鉄道，ビルにおいて電気ケーブルを敷設するために、設計回路図面から作業仕様書を作成し、作業者はこれを参照しながら敷設・結線・テスト・撤去作業を行う。結線作業においては、ケーブルと端子の対を作業仕様書に従い結線していく。信頼性を重視すると、こうしたケーブル敷設作業からヒューマンエラーを排除する必要があるが、何重にもチェックするとしてもコスト高になり、ヒューマンエラーの削減は作業員の意識の高さに依存することとなる。
【０００３】
従来技術として、特許文献１，２がある。
【０００４】
【特許文献１】特開２００３−１１４２４７号公報
【特許文献２】特開２００５−３３９９８３号公報
【発明の開示】
【発明が解決しようとする課題】
【０００５】
本発明が解決しようとする課題は、対になる対象物を容易に特定し、誤った対象物を対にするという誤作業を減らすことにある。
【課題を解決するための手段】
【０００６】
第一の識別子を受信する受信回路と、第二の識別子を記憶する書き換え不能なメモリと、第一の識別子と第二の識別子とを照合し結果を出力する照合回路と、照合回路からの出力に対応した入切スイッチとを備えたＲＦＩＤである。
【発明の効果】
【０００７】
本発明によれば、対になる対象物を容易に特定し、誤った対象物を対にするという誤作業を減らすことができる。
【発明を実施するための最良の形態】
【０００８】
本発明に係る実施形態は、ＲＦＩＤに出力手段を備え、その出力手段のための電源手段を備えることを実現した。
【０００９】
本実施形態は、対になる対象物を容易に探しうるために、探す対象物に何らかの出力手段を備え、しかも、出力手段に必要な電力を供給でき、さらに様々なアプリケーションに用いることができる。
【００１０】
本実施形態は、ＲＦＩＤに出力手段とそれに必要な電力をまかなうバッテリー手段を有することを一つの特徴とする。
【００１１】
対象物の出力手段（例：ＬＥＤ）が出力することで、探すのが簡単になる。また、対にしたものが正しいか出力手段（例：ＬＥＤ）により簡単に確認できる。さらに、出力手段とＰＣ，コンセント間を無線化できる。
【実施例１】
【００１２】
図１〜図７にて、本発明装置の１実施例を説明する。
【００１３】
図１はＲＦＩＤの構成図である。アンテナ１は、リーダと電波信号を送受信するためのアンテナである。送受信回路２は、アンテナ１により電波信号を受信すると、受信電波からＭｏｄｅと指定ＩＤ（第一の識別子ＩＤ１）の信号を取り出し、Ｍｏｄｅが「指定あり」であれば、指定ＩＤを照合回路３に送る。「指定なし」であれば、メモリ４からＩＤを読み出して、電波に乗せてアンテナ１から送信するが、「指定あり」の場合もメモリ４からＩＤを読み出して、電波に乗せてアンテナ１から送信しても良い。照合回路３は、送受信回路２から指定ＩＤを受けると、メモリ４からＩＤ（第二の識別子ＩＤ２）を読み出して照合し、一致すれば出力信号線６を介してスイッチ９をＯＮ状態にする。スイッチ９がＯＮ状態になると、ＬＥＤ７は電池８の電力供給を受けて光る。アンテナ１から出力信号線６までの構成を、ＲＦＩＤ５と称する。アンテナ１から電池８までの構成を、出力付きＲＦＩＤ１０と称する。ＬＥＤ７の代わりにブザーやそのほかの出力用デバイスを用いても良い。この構成により、電池８はＬＥＤ７やブザー等の出力用デバイスの出力電源にのみ用いるため、電池８が切れてもＲＦＩＤのＭｏｄｅが「指定なし」の動作（ＬＥＤのないＲＦＩＤの動作）は行うことができる。これにより、電池切れの心配を減らせるため、ＬＥＤの出力を上げることができ、作業者が見易くなる効果がある。
【００１４】
作業者による作業は、かならず目視が可能な光線量のある場所で作業は行われる。そこで、電池８は太陽電池を用いれば、時間経過があっても電池８が切れることはなく、好都合である。太陽電池を用いることでも、電池切れを心配しなくて良いため、ＬＥＤの出力を上げることができ、作業者が見易くなる効果がある。
【００１５】
セキュリティ上、メモリ４の内容を部外者にリードされる、または、書き換えられることを防ぐためには、第二の識別子ＩＤ２を保持するメモリ４は書き換え不可能なメモリを用い、ＲＦＩＤを取り付ける対象物に関する情報は、ＲＦＩＤの外部のメモリにＩＤ２と対象物の情報を対応つけて保持するようにすると良い。詳細は、図３〜図５を用いて後述する。
【００１６】
出力としてブザーを使う場合は、音色や鳴らし方を変えると良い。具体的には、音階に相当するようにする、間欠で鳴る時間と鳴らない時間の長さを変える。
【００１７】
図２は、ＲＦＩＤ５の動作フローを示している。Ｐ１でアンテナよりＭｏｄｅと指定
ＩＤを受信し、Ｐ２で、Ｍｏｄｅが「指定あり」であれば照合回路３に動作が移る。照合回路３では、Ｐ３で指定ＩＤをＲＦＩＤ１に代入し、Ｐ４でメモリ４からＩＤを読み出してＲＦＩＤ２に代入し、Ｐ５で照合し、一致すればＰ６で出力信号線６をＯＮ状態にする出力をする。一方、Ｐ２で、Ｍｏｄｅが「指定なし」であれば、Ｐ８でメモリ４からＩＤを読み出しＲＦＩＤ２に代入する。最後に、Ｐ７でＲＦＩＤ２を送信する。出力付き
ＲＦＩＤ１０の構成をとるならば、Ｐ６で出力信号線６をＯＮ状態にすることにより、
ＬＥＤが光る。スイッチ９は一定時間後にＯＦＦ状態にするようにしてもよいが、繰り返し同じ信号を受けることにより点灯し続け、信号がやむかまたは別の指定ＩＤの信号がきている場合は消灯する方法をとっても良い。
【００１８】
図３はケーブル結線方法を示した説明図である。以上に説明した出力付きＲＦＩＤ１０をケーブルと、制御盤２０２の端子の側にとりつけ、作業者はリーダ端末１０７を用いて、ケーブル結線情報を得ることができる。
【００１９】
図４は、リータ端末１０７の構成例である。アンテナ１０６とリーダ１０１により、
ＲＦＩＤとの信号送受信を行う。制御部１０２は、リーダ１０１を制御するほか、通信部１０３によりＤＢ１０６のデータを参照する。入力部１０４はボタンやキーボードやタブレットなどであり、Ｍｏｄｅを設定するなど、作業者からの入力を受ける。出力部１０５はＬＤＣやブザーなどリーダ端末の状態等を作業者に示す出力をする。図４の例は、ＤＢ１０６はネットワーク上にあり、通信部１０３によりアクセス可能な構成をとっているが、リーダ端末内にメモリを設けて作業に必要なデータをこのメモリに記憶させ、制御部
１０２がメモリを直接参照する構成でも良い。
【００２０】
図５は、ＤＢ１０６またはリーダ端末内に設けたメモリに蓄えておくべき２種の情報の例を示している。ひとつは、モノとＲＦＩＤの対応表であり、ユーザ定義がモノに与えたＩＤであるユーザ定義ＩＤと、モノに取り付けたＲＦＩＤのＩＤとの対応を示す。いわゆる紐付け情報である。図５の例では、ケーブルＣ１＿１に取り付けたＲＦＩＤはＦＦＦＦ…１、端子Ｔ１＿１に取り付けたＲＦＩＤはＦＦＦＦ…２であることを示している。もうひとつは、モノとモノの対応表であり、ケーブル結線作業においては、作業仕様書に相当する情報である。この例では、ケーブルＣ１＿１は端子Ｔ１＿１と、ケーブルＣ１＿２は端子Ｔ１＿２と結線されることを示している。
【００２１】
これらの情報を、すべてＤＢ１０６またはリーダ端末内に設けたメモリに蓄える方式でなく、ＲＦＩＤ内部の図１のメモリ４に蓄えても良い。別方法１は、紐付け情報をRFID内部の図１のメモリ４に蓄えて、モノとモノの対応表をＤＢ１０６またはリーダ端末内に設けたメモリに蓄える。たとえば、紐付け情報相当として、ケーブルＣ１＿１に取り付けるＲＦＩＤのメモリ４には“ケーブルＣ１＿１”，端子Ｔ１＿１に取り付けるＲＦＩＤには“端子Ｔ１＿１”と書き込んでおく。ＤＢ１０６またはリーダ端末内に設けたメモリには「ケーブルＣ１＿１は端子Ｔ１＿１と結線される」との情報を保持する。別方法２は、紐付け情報、および、モノとモノの対応表を両方ともＲＦＩＤ内部の図１のメモリ４に蓄える。たとえば、ケーブルＣ１＿１に取り付けるＲＦＩＤのメモリ４には“ケーブルＣ１＿１，端子Ｔ１＿１”と書き込んでおき、前者の取り付けた対象情報（紐付け情報に相当）と後者の接続すべき対象情報（モノとモノの対応表に相当）を蓄える。別方法の場合は、図１のアンテナ１と送受信回路２が受けるべき指定ＩＤ（第一の識別子ＩＤ１）としてメモリ４に蓄えた情報文字列と同じまたは一部が同じである必要がある。
【００２２】
セキュリティ上、メモリ４の内容を部外者にリードされる、または、書き換えられることを防ぐためには、第二の識別子ＩＤ２を保持するメモリ４は書き換え不可能なメモリを用い、ＲＦＩＤを取り付ける対象物に関する情報は、ＲＦＩＤの外部のメモリにＩＤ２と対象物の情報を対応つけて保持するようにすると良い。この方式であると、ＲＦＩＤ内のメモリに書き込むのに比較して、ＰＣ等のメモリに書き込むことは高速にできるため、作業能率が良くなる効果もある。
【００２３】
図６はリーダ端末１０７の動作フローを示した説明図である。Ｐ１０１で制御部１０２でＭｏｄｅを「指定なし」に設定し、Ｐ１０２でリーダ１０１によりＲＦＩＤをリードする。Ｐ１０３で制御部１０２でリードしたＲＦＩＤをＲＦＩＤ１に代入する。Ｐ１０３でモノとＲＦＩＤの対応表からＲＦＩＤ１が取り付けられたモノを検索しそのユーザ定義
ＩＤをＭ１に代入する。さらに、モノとモノの対応表からＭ１が対応するモノを検索しそのユーザ定義ＩＤをＭ２に代入する。そして、モノとＲＦＩＤの対応表からＭ２に取り付けられたＲＦＩＤ２を検索し、Ｐ１０６でＭｏｄｅを「指定あり」に設定し、ＲＦＩＤ２の値を指定ＩＤに設定し、Ｐ１０７でリーダ１０１によりＲＦＩＤをリードする。Ｐ107は所定回数繰り返すようにするか、Ｐ１０７の結果、リードしたＲＦＩＤとしてＲＦＩＤ２が返ってくるまで繰り返すか、ＲＦＩＤとしてＲＦＩＤ２が所定回数連続して返ってくるか、入力部１０４により強制終了がかかるまで繰り返し行うと、探しにくい場合に探し易くなる。たとえば、図３で、Ｐ１０２でケーブルＣ１＿１の出力付きＲＦＩＤ１０をリードした後、Ｐ１０７で端子側の出力付きＲＦＩＤ１０をリードすると、ケーブルＣ１＿１と接続されるべき端子Ｔ１＿１の側の出力付きＲＦＩＤ１０のＬＥＤが光り、作業者は容易に接続対象を探すことができる。
【００２４】
図７はケーブル結線方法を示した説明図である。図３では、出力付きＲＦＩＤ１０を端子台の側に取り付けたが、図７に示すように、端子の数だけその側にくるように出力付きＲＦＩＤ１０を並べ、取り付け足を上部２箇所、必要に応じて株にも数箇所つけて制御盤２０２に取り付けやすくしたＬＥＤプレート１５の構造のものを使うようにすると、他の制御盤と共用できて良い。この場合は、図５に示したモノとＲＦＩＤの対応表が、共用するほかの制御盤と共通化できる。
【００２５】
ＬＥＤは所定時間ずっと点灯するのでなく、一定時間ごとに点灯を繰り返すようにすると、バッテリーの消耗を防ぐことができてよい。一定時間を何段階か設けることで、点灯・消灯の２種類だけでなく、早点滅・遅点滅・消灯など、数種類を設けて、出力手段の出力表現を広げることができる。
【実施例２】
【００２６】
図８，図９にて、本発明装置の別の実施例として、ケーブルとケーブルを接続する場合について、実施例１と同様にできることを説明する。
【００２７】
図８はケーブル結線方法を示した説明図である。それぞれ心線が複数あり、この絵では正しい接続先でないと接続不可なようにコネクタの形を変えているが、種類が非常にたくさんある場合、接続先を探すのが困難になる。そこで、出力付きＲＦＩＤ１０をコネクタに取り付ける。リーダ端末１０７は、実施例１と同様である。
【００２８】
図９は、ＤＢ１０６またはリーダ端末１０７内に設けたメモリに蓄えておくべき２種の情報の例を示している。ひとつは、モノとＲＦＩＤの対応表であり、ユーザ定義がモノに与えたＩＤであるユーザ定義ＩＤと、モノ（コネクタ）に取り付けたＲＦＩＤのＩＤとの対応を示す。いわゆる紐付け情報である。図５の例では、ケーブルＣ１００に取り付けたＲＦＩＤはＦＦＦＦ…１、ケーブルＣ１０１に取り付けたＲＦＩＤはＦＦＦＦ…２であることを示している。もうひとつは、モノとモノ（ケーブルとケーブル）の対応表であり、ケーブル結線作業においては、作業仕様書に相当する情報である。この例では、ケーブルＣ１００はケーブルＣ１０２と、ケーブルＣ１０１はケーブルＣ１１１と結線されることを示している。
【００２９】
リーダ端末１０７の動作フローも実施例１と同様（図６）であり、たとえば、図８で、Ｐ１０２でケーブルＣ１００の出力付きＲＦＩＤ１０をリードした後、Ｐ１０７で他ケーブルの出力付きＲＦＩＤ１０をリードすると、ケーブルＣ１００と接続されるべきケーブルＣ１０２の出力付きＲＦＩＤ１０のＬＥＤが光り、作業者は容易に接続対象を探すことができる。ＬＥＤはブザーやそのほかの出力デバイスであっても同様である。
【実施例３】
【００３０】
図１０〜図１２にて、本発明装置の別の実施例を説明する。ＬＥＤやブザーやそのほかの出力デバイスのための電池８を他のＲＦＩＤと共有できるようにした構成を示す。
【００３１】
図１０はＲＦＩＤの構成図である。図１に示した実施例１との差分は、電池８がなく、電池８に接続できる電源端子を有する。この構成のＲＦＩＤを電源端子付きＲＦＩＤ１１と称する。
【００３２】
図１１はＲＦＩＤの実施方法を示した説明図である。電源端子付きＲＦＩＤ１１を並列にひとつの電池８に接続した結線図である。共有できるため、どれかひとつを探す場合を考えると、一つ一つに電池８をつけるより小さな容量で足りる。
【００３３】
図１２はＲＦＩＤの実施方法を示した説明図である。図１１のように結線した複数の電源端子付きＲＦＩＤ１１と電池８をこのように配置し、制御盤２０２にかぶせることで、各ＬＥＤが端子の側に来るようにする（ＬＥＤプレート１６）。意匠上はＬＥＤプレート１５と同様であり、取り付け足をつけると良い。また、背面部や側面部にキャパシタ１４をつけて電池８で発電した電力を蓄えるようにすると、光線量が少ない場所でも出力デバイスの出力を上げることができ、結果として、対象物を探し易くなる。
【実施例４】
【００３４】
図１３〜図１５にて、本発明装置の別の実施例を説明する。探す対象にリーダを当てることなく対象物を探す方式を開示する。
【００３５】
図１３は実施方法を示したＬＥＤプレート１７であり、図７のＬＥＤプレート１５と同様に端子台に取り付け、図７のケーブルに取り付けたＲＦＩＤ１０を図４にて説明したリーダ端末１０７でリードすると、このケーブルを結線すべき端子に対応するＬＥＤが光ることで、結線作業を支援する。以下、その実現方法について説明する。
【００３６】
ＬＥＤプレート１７には第一の対象物（例．端子）に割り当てられた複数の出力手段として、ＬＥＤ７を複数個備えている。
【００３７】
第二の対象物（例．ケーブル）に取り付けられたＲＦＩＤである図７のケーブルに取り付けたＲＦＩＤ１０を、リード手段として図４にて説明したリーダ端末１０７でリードする。リーダ端末１０７とＤＢ１０６の構成は実施例１で説明したとおりであり、ＤＢ106には図１５に示した情報が蓄えられている。
【００３８】
リーダ端末１０７の制御部は、リードしたＲＦＩＤ１０と前記第二の対象物の対を記憶するＤＢ１０６の「モノとＲＦＩＤの対応表」（メモリ１）を参照して、リードした前記ＲＦＩＤと対になる前記第二の対象物をＤＢ１０６から検索する（検索手段１）。
【００３９】
前記第一の対象物と前記第二の対象物の対を記憶するＤＢ１０６の「モノとモノの対応表」（メモリ２）を参照して、リーダ端末１０７の制御部は、前記第二の対象物と対になる前記第一の対象物を検索する（検索手段２）。
【００４０】
前記出力手段と前記第一の対象物の対を記憶するＤＢ１０６の「モノとＬＥＤの対応表」（メモリ３）を参照して、リーダ端末１０７の制御部は、対象物と対になる出力手段を検索する（検索手段３）。
【００４１】
リーダ端末１０７の制御部は、検索手段３により検索された出力手段としてのＬＥＤを光らせるよう図１３の通信部１９を介してＬＥＤ制御部１８に信号を送信する。
【００４２】
ＬＥＤプレート１７を端子台に取り付けることで、ＬＥＤ７は上から順に各々端子台の上から順の端子に割り当てられる。そうするためには、ＤＢ１０６の「モノとＬＥＤの対応表」（メモリ３）を端子台ごとに保持し、リーダ端末１０７の入力部１０４より端子台の指定を受け、その指定された端子台の「モノとＬＥＤの対応表」（メモリ３）を用いるようにする。あるいは、「モノとモノの対応表」（メモリ２）を参照して、前記第二の対象物と対になる前記第一の対象物を検索した結果にしたがって、第一の対象物が含まれる端子台を得て、その端子台の「モノとＬＥＤの対応表」（メモリ３）を用いるようにする。
【００４３】
ＬＥＤプレート１７には端子側を指定して対応するケーブルを探す目的からＲＦＩＤ５も付けておく。ＲＦＩＤは図１のＲＦＩＤ５の構成でよい。端子側を指定して対応するケーブルを探すのでなければ、ＬＥＤプレート１７にＲＦＩＤ５をつけなくとも良い。各
ＬＥＤ７は、太陽電池８を共有して並列に接続しているが、各ＬＥＤの点灯を制御できるよう、アレイ状に配置接続しても良い。また、各ＬＥＤ７は点線で示す信号線によりLED制御部１８と接続する。ＬＥＤ制御部１８は、接続した複数のＬＥＤ７に対し任意のLED7を点灯，消灯する制御を行う。たとえば、接続したｎ個のＬＥＤ７を上から順に１からｎのｎ個の出力に割り当て、１番を光らせたいときには１番の出力を１に、他を０にする。そのほか、Ａｓｉなどの所定の通信により制御する構成をとっても良い。その場合は、
Ａｓｉなどの所定の通信部を各ＬＥＤ７およびＬＥＤ制御部１８に備えることで可能となる。
【００４４】
ＬＥＤ制御部１８は、どのＬＥＤの点灯，消灯を行うかを通信部１９からパラメータとして受け取る。通信部１９は、図３，図４に示したリーダ端末１０７と通信して、どの
ＬＥＤの点灯，消灯を行うかをパラメータとして受け取る。この実施例の場合、リーダ端末１０７の構成および動作フローは次のようになる。通信部１０３は、ＤＢ１０６以外に、ＬＥＤプレート１７と通信する機能を備える。ＤＢ１０６は、図１５に示すように、モノとＲＦＩＤの対応表、モノとモノの対応表の他に、モノとＬＥＤの対応表が必要である。ＬＥＤは、ＬＥＤ制御部１８が点灯・消灯できるＬＥＤの番号または固有ＩＤで表す。
【００４５】
出力としてブザーを使う場合は、音色や鳴らし方を変えると良い。具体的には、音階に相当するようにする、間欠で鳴る時間と鳴らない時間の長さを変える。並び順に沿ってドレミファソラシドとなるように法則性を持たせておくことで、不具合があれば作業者に注意を喚起する効果がある。
【００４６】
図１４はＲＦＩＤの動作フローを示した説明図である。図６の動作フローと、Ｐ２０１〜Ｐ２０４までは図６Ｐ１０１〜Ｐ１０４と同様である。その後、Ｐ２０５でモノとLEDの対応表を参照して、Ｍ２を示すＬＥＤの番号または固有ＩＤを得る。次にＰ２０６で
ＬＥＤの番号または固有ＩＤをリーダ端末１０７の通信部１０３より、ＬＥＤプレート
１７の通信部１９に送受信する。Ｐ２０７では、ＬＥＤプレート１７に動作が移り、指定されたＬＥＤを点灯・消灯する。
【００４７】
図１５はＲＦＩＤの実施方法を示した説明図である。
【産業上の利用可能性】
【００４８】
プラント向けケーブル接続支援システム，飛行機整備工場，ビル，鉄道向けケーブル結線システムにも適用できる。
【図面の簡単な説明】
【００４９】
【図１】ＲＦＩＤの構成図である。（実施例１）
【図２】ＲＦＩＤの動作フローを示した説明図である。（実施例１）
【図３】ケーブル結線方法を示した説明図である。（実施例１）
【図４】リーダ端末の構成図である。（実施例１）
【図５】リーダ端末の実施方法を示した説明図である。（実施例１）
【図６】リーダ端末の動作フローを示した説明図である。（実施例１）
【図７】ケーブル結線方法を示した説明図である。（実施例１）
【図８】ケーブル結線方法を示した説明図である。（実施例２）
【図９】リーダ端末の実施方法を示した説明図である。（実施例２）
【図１０】ＲＦＩＤの構成図である。（実施例３）
【図１１】ＲＦＩＤの実施方法を示した説明図である。（実施例３）
【図１２】ＲＦＩＤの実施方法を示した説明図である。（実施例３）
【図１３】ＲＦＩＤの実施方法を示した説明図である。（実施例４）
【図１４】ＲＦＩＤの動作フローを示した説明図である。（実施例４）
【図１５】ＲＦＩＤの実施方法を示した説明図である。（実施例４）
【符号の説明】
【００５０】
１  アンテナ
２  送受信回路
３  照合回路
４  メモリ
５  ＲＦＩＤ
６  出力信号線
７  ＬＥＤ
８  電池
９  スイッチ
１０  出力付きＲＦＩＤ
１１  電源端子付きＲＦＩＤ
１２  電源端子カソード
１３  電源端子アソード
１４  キャパシタ
１５，１６，１７  ＬＥＤプレート
１８  ＬＥＤ制御部
１９  ＬＥＤ通信部
【図１】
2008102727.tif 000003
【図２】
2008102727.tif 000004
【図３】
2008102727.tif 000005
【図４】
2008102727.tif 000006
【図５】
2008102727.tif 000007
【図６】
2008102727.tif 000008
【図７】
2008102727.tif 000009
【図８】
2008102727.tif 000010
【図９】
2008102727.tif 000011
【図１０】
2008102727.tif 000012
【図１１】
2008102727.tif 000013
【図１２】
2008102727.tif 000014
【図１３】
2008102727.tif 000015
【図１４】
2008102727.tif 000016
【図１５】
2008102727.tif 000017